(57)【要約】【課題】他の部材を用いることなく一動作で端子金具が基台に組み付けられ、端子金具の移動が規制される回路遮断器を提供する。【解決手段】回路遮断器１０は、電源側端子座３１を座保持面２１３に沿わせて移動させるにあたって、座保持面２１３が形成された部分を電源側端子座３１との間で挟み込むことで、電源側端子座３１が座保持面２１３から離れないように移動を規制する第１移動規制部分と、固定接触子部分３２の少なくとも一部と電源側端子座３１との相対的な位置関係を一時的に変化させた後に復旧方向に戻すことで、固定接触子部分３２が接触子保持面２１４に対応する位置からずれないように移動を規制する第２移動規制部分と、が設けられている。【選択図】図１
2020068186.tif 000002
【特許請求の範囲】
【請求項１】
回路遮断器であって、
電路を構成する外部配線と繋がる座部分、可動接触子と接触及び離隔することにより前記電路の導通及び遮断を切り替える固定接触子部分、及び前記座部分と前記固定接触子部分とを接続する接続部分、を有する端子金具と、
前記座部分に対応するように設けられている座保持面、及び前記固定接触子部分に対応するように設けられている接触子保持面が形成され、前記端子金具が組付位置に組み付けられる基台と、を備え、
前記端子金具を前記組付位置に組み付けるため、前記座部分を前記座保持面に沿わせて移動させるにあたって、
前記座保持面が形成された部分を前記座部分との間で挟み込むことで、前記座部分が前記座保持面から離れないように移動を規制する第１移動規制部分と、
前記固定接触子部分の少なくとも一部と前記座部分との相対的な位置関係を一時的に変化させた後に復旧方向に戻すことで、前記固定接触子部分が前記接触子保持面に対応する位置からずれないように移動を規制する第２移動規制部分と、が設けられている、回路遮断器。
【請求項２】
請求項１に記載の回路遮断器であって、
前記固定接触子部分の少なくとも一部が、前記接触子保持面が形成された部分に当接することで、前記固定接触子部分の少なくとも一部と前記座部分との相対的な位置関係が一時的に変化する、回路遮断器。
【請求項３】
請求項１又は２に記載の回路遮断器であって、
前記接続部分が一時的に撓むことで、前記固定接触子部分の少なくとも一部と前記座部分との相対的な位置関係が一時的に変化した後に復旧方向に戻る、回路遮断器。
【請求項４】
請求項１から３のいずれか１項に記載の回路遮断器であって、
前記第２移動規制部分は、
前記固定接触子部分が前記接触子保持面に対向する場所に設けられた突起部と、
前記接触子保持面に形成され前記突起部が入り込み、前記突起部の周囲に側壁が当接する嵌合孔と、を含む、回路遮断器。
【請求項５】
請求項４に記載の回路遮断器であって、
前記突起部は、前記固定接触子部分の他の部分に対して撓むことができるように構成されている、回路遮断器。
【請求項６】
請求項１から３のいずれか１項に記載の回路遮断器であって、
前記第２移動規制部分は、
前記基台において前記接触子保持面の周囲から突出するように設けられた爪部と、
前記固定接触子部分において前記爪部と当接し、前記端子金具を前記組付位置に組み付けるために移動させる方向とは反対側に設けられた当接面と、を含む、回路遮断器。
【発明の詳細な説明】
【技術分野】
【０００１】
本開示は、回路遮断器に関する。
【背景技術】
【０００２】
従来、安全性確保のため、電源と負荷との間の導通を遮断する回路遮断器がある。例えば、下記特許文献１には、電路上に設けられた固定接点と可動接点とを接触及び離隔させることにより、当該電路の導通及び遮断を切り替える回路遮断器が開示されている。この回路遮断器において、固定接点を含む固定接触子は、消弧グリッド組立体の内部に収容されつつ、上下方向に自由に摺動するようにケースに組み込まれている。カバーがケースに取り付けられると、カバーから延びる突起により消弧グリッド組立体が押さえられ、これにより消弧グリッド組立体を介して固定接触子がケースに固定される。
【先行技術文献】
【特許文献】
【０００３】
【特許文献１】実公昭５７−４３２９９号公報
【発明の概要】
【発明が解決しようとする課題】
【０００４】
しかしながら、上述の回路遮断器では、カバーをケースに取り付けなければ固定接触子の上下方向の摺動を押さえることができない。従って、回路遮断器の製造工程の途中においては固定接触子がケースに固定されず、固定接触子が消弧グリッド組立体とともに動き得るので、組み立て作業が煩雑となる。他方、例えば固定接触子といった端子金具をねじによりケースに固定しようとすると、ねじの締結作業が必要となり、部品及び作業工程が増える。
【０００５】
本開示は、こうした実情に鑑みてなされたものであり、その目的は、他の部材を用いることなく端子金具が基台に組み付けられ、かつ基台に対する端子金具の移動が規制される回路遮断器を提供することにある。
【課題を解決するための手段】
【０００６】
上記課題を解決するために、回路遮断器は、電路を構成する外部配線と繋がる座部分、可動接触子と接触及び離隔することにより電路の導通及び遮断を切り替える固定接触子部分、及び座部分と固定接触子部分とを接続する接続部分、を有する端子金具と、座部分に対応するように設けられている座保持面、及び固定接触子部分に対応するように設けられている接触子保持面が形成され、端子金具が組付位置に組み付けられる基台と、を備え、端子金具を組付位置に組み付けるため、座部分を座保持面に沿わせて移動させるにあたって、座保持面が形成された部分を座部分との間で挟み込むことで、座部分が座保持面から離れないように移動を規制する第１移動規制部分と、固定接触子部分の少なくとも一部と座部分との相対的な位置関係を一時的に変化させた後に復旧方向に戻すことで、固定接触子部分が接触子保持面に対応する位置からずれないように移動を規制する第２移動規制部分と、が設けられている。
【０００７】
本開示では、端子金具を基台の組付位置に組み付けるために、座部分を座保持面に沿わせて移動させる。この移動にあたって、第１移動規制部分は、座保持面が形成された部分を座部分との間で挟み込み、座部分が座保持面から離れないように規制することができる。更にこの移動にあわせて、第２移動規制部分は、固定接触子部分の少なくとも一部と座部分との相対的な位置関係を一時的に変化させた後に復旧方向に戻す。このような位置関係の一時的な変化によって、固定接触子部分と接触子保持面が形成された部分とが嵌合する状態を形成することができ、固定接触子部分が接触子保持面に対応する位置からずれないように規制することができる。座部分と固定接触子部分とは接続部分で接続されているので、固定接触子部分が接触子保持面に対応する位置からずれないように規制される効果が座部分に伝達され、座部分も座保持面に対応する位置からずれないように規制される。座部分を座保持面に沿わせて移動させることで、第１移動規制部分と第２移動規制部分とが連動して移動規制を行い、一動作で端子金具を組付位置に組み付けることができる。
【０００８】
本開示において、固定接触子部分の少なくとも一部が、接触子保持面が形成された部分に当接することで、固定接触子部分の少なくとも一部と座部分との相対的な位置関係が一時的に変化してもよい。
【０００９】
この好ましい態様によれば、端子金具を組付位置に組み付けるため、座部分を座保持面に沿わせて移動させるにあたって、固定接触子部分の少なくとも一部は接触子保持面が形成された部分に当接する。この当接に伴って、固定接触子部分の少なくとも一部と座部分との相対的な位置関係が一時的に変化するので、端子金具を組付位置に組み付けるための動作を行うことで第２移動規制部分を作動させることができ、組付作業が容易なものとなる。
【００１０】
本開示において、接続部分が一時的に撓むことで、固定接触子部分の少なくとも一部と座部分との相対的な位置関係が一時的に変化した後に復旧方向に戻ってもよい。
【００１１】
この好ましい態様によれば、接続部分の撓み動作によって固定接触子部分の少なくとも一部と座部分との相対的な位置関係が一時的に変化するので、固定接触子部分のみが撓む場合に比べて撓みのストロークをより大きく確保することが容易なものとなる。
【００１２】
本開示において、第２移動規制部分は、固定接触子部分が接触子保持面に対向する場所に設けられた突起部と、接触子保持面に形成され突起部が入り込み、突起部の周囲に側壁が当接する嵌合孔と、を含んでいてもよい。
【００１３】
この好ましい態様によれば、端子金具が基台に組み付けられた状態において、端子金具の固定接触子部分に形成された突起部が基台の嵌合孔にはまるため、１つの構造により突起部の周囲に側壁が当接する方向の移動を規制することができる。突起部の周囲に側壁が当接する方向は任意に設けることができるため、例えば、複数の方向において当接個所を設けることで、複数の方向における移動を規制することができる。
【００１４】
本開示において、突起部は、固定接触子部分の他の部分に対して撓むことができるように構成されていてもよい。
【００１５】
このように、突起部を固定接触子の他の部分に対して撓むことができるように構成することで、突起部の嵌合孔への入り込みを容易に行うことができる。
【００１６】
本開示において、第２移動規制部分は、基台において接触子保持面の周囲から突出するように設けられた爪部と、固定接触子部分において爪部と当接し、端子金具を組付位置に組み付けるために移動させる方向とは反対側に設けられた当接面と、を含んでいてもよい。
【００１７】
この好ましい態様によれば、第２移動規制部分を爪部と当接面とによって構成することができるので、簡便な構造で移動規制を行うことができる。
【発明の効果】
【００１８】
本開示によれば、他の部材を用いることなく端子金具が基台に組み付けられ、かつ基台に対する端子金具の移動が規制される回路遮断器を提供できる。
【図面の簡単な説明】
【００１９】
【図１】図１は、本開示の実施形態に係る回路遮断器の部分的な断面を示す部分断面図である。
【図２】図２は、図１に示される電源側端子金具の斜視図である。
【図３】図３は、図１に示される電源側端子金具の側面図である。
【図４】図４は、図１に示される電源側端子金具の斜視図である。
【図５】図５は、図１に示される基台に組み付けられた電源側端子金具を示す斜視断面図である。
【図６】図６は、図１に示される電源側端子金具の第１変形例を示す斜視図である。
【図７】図７は、図１に示される電源側端子金具の第２変形例を基台に組み付けた状態を示す斜視断面図である。
【図８】図８は、図１に示される電源側端子金具の第３変形例を基台に組み付けた状態を示す斜視断面図である。
【図９】図９は、図１に示される電源側端子金具の第４変形例を基台に組み付けた状態を示す斜視断面図である。
【発明を実施するための形態】
【００２０】
以下、添付図面を参照しながら本実施形態について説明する。説明の理解を容易にするため、各図面において同一の構成要素に対しては可能な限り同一の符号を付して、重複する説明は省略する。
【００２１】
各図面には、各図面相互の関係を明確にし、各部材の位置関係を理解する助けとするために、互いに直交するＸ軸、Ｙ軸及びＺ軸により構成される直交座標系を便宜的に付す。Ｘ軸、Ｙ軸及びＺ軸とは、図１に示される３つの方向を意味し、それぞれ正方向（矢印の方向）及び負方向（矢印とは反対の方向）を含むものとする。以下では、例えばＸ軸及びＹ軸により規定される平面をＸＹ平面とも呼ぶ。
【００２２】
図１は、本開示の実施形態に係る回路遮断器の構造を説明するための図であって、部分的に断面を示す部分断面図である。回路遮断器１０は、例えば電源と負荷との間を接続する電路上に設けられ、当該電路の導通及び遮断を切り替える装置である。図１に示されるように、回路遮断器１０は、ハウジング２０と、電源側端子金具３０と、負荷側端子金具４０と、可動接触子５０と、ハンドル６０と、を備えている。
【００２３】
電源側端子金具３０は、電路の電源側配線（不図示）が繋がれる端子金具である。負荷側端子金具４０は、電路の負荷側配線（不図示）が繋がれる端子金具である。電源側端子金具３０及び負荷側端子金具４０は、それぞれハウジング２０の電源側端部及び負荷側端部において露出するように設けられている。
【００２４】
可動接触子５０は、電路を導通及び遮断するためにハウジング２０の内部に設けられている可動部品である。ハンドル６０は、可動接触子５０を操作するためにハウジング２０から突出するように設けられている可動部品である。
【００２５】
ハウジング２０は、基台２１と、カバー２２と、を備えている。基台２１とカバー２２とが組み立てられることで、内部空間が設けられたハウジング２０が形成される。基台２１には、電源側端子金具３０、負荷側端子金具４０、可動接触子５０及びハンドル６０が各組付位置に組み付けられている。カバー２２は、基台２１に組付けられ、基台２１に設けられた各種部品を外部環境から保護する。
【００２６】
ハウジング２０は、第１壁部２０１と、第２壁部２０２と、第３壁部２０３と、第４壁部２０４と、を備えている。第１壁部２０１と第２壁部２０２とは、互いに対向するように配置されている。第３壁部２０３と第４壁部２０４とは、互いに対向するように配置されている。
【００２７】
回路遮断器１０が分電盤のベース板といった取り付け部分に取り付けられた場合に、第１壁部２０１は電路の電源側に配置され、第２壁部２０２は電路の負荷側に配置され、第４壁部２０４はベース板側に配置される。第３壁部２０３及び第４壁部２０４は、第１壁部２０１と第２壁部２０２とを繋ぐように設けられている。
【００２８】
ハウジング２０内部には、電源側端子座設置部２１０と、固定接触子設置部２１１と、負荷側端子座設置部２１２と、被嵌合部２１５と、を備えている。電源側端子座設置部２１０、固定接触子設置部２１１、負荷側端子座設置部２１２、及び被嵌合部２１５は、基台２１に形成されている。電源側端子座設置部２１０、固定接触子設置部２１１、負荷側端子座設置部２１２、及び被嵌合部２１５への設置態様については後述する。
【００２９】
電源側端子金具３０は、電源側端子座３１（座部分）と、固定接触子３２（固定接触子部分）と、接続部分３３と、嵌合部３４と、を備えている。電源側端子座３１は、電源側配線と繋がる座部分を構成している。固定接触子３２は、可動接触子５０との接点となる固定接触子部分を構成する。接続部分３３は、電源側端子座３１と固定接触子３２とを接続する部分である。嵌合部３４は、被嵌合部２１５と嵌め合わされる部分である。電源側端子座３１、固定接触子３２、接続部分３３、及び嵌合部３４は、例えば導電性の板状の金属部材により一体的に形成されている。
【００３０】
電源側端子座３１は、ハウジング２０の電源側端子座設置部２１０に設置されている。電源側端子座設置部２１０には、座保持面２１３が設けられている。座保持面２１３は、電源側端子座３１に対応するように設けられている。電源側端子座３１は、電源側端子座設置部２１０の座保持面２１３に保持されることで、ハウジング２０の一方に設けられた第１壁部２０１において、ハウジング２０の外部に露出している。図示が省略されているが、電源側端子座３１に電源側配線の圧着端子が当接され、圧着端子の環状部分をねじが貫通し、電源側端子座３１に設けられたねじ穴にねじを締めこんで固定されることにより、電源側配線が電源側端子金具３０と電気的に接続される。電源側配線は、回路遮断器１０の外部の電路を構成する外部配線の一具体例である。
【００３１】
固定接触子３２は、ハウジング２０の内部に設けられている。固定接触子３２は、可動接触子５０の端部に設けられた可動接点５１の移動軌道上に設けられた固定接点３２０を有する。固定接触子３２は、固定接触子設置部２１１に設置されている。固定接触子設置部２１１には、接触子保持面２１４が設けられている。固定接触子３２は、接触子保持面２１４に保持されている。
【００３２】
接続部分３３は、電源側端子座３１からハウジング２０の内部に向かってＹ軸正方向に延び、更に基台２１に向かってＺ軸負方向に略直角に折れ曲がった形状を有している。接続部分３３は、枝部３３ａ及び枝部３３ｂ（図１においては明示しない）を有している。接続部分３３における電源側端子座３１と反対側の端部には、固定接触子３２が設けられている。本実施形態において、電源側端子座３１と固定接触子３２は、接続部分３３の端部から同じ方向（Ｙ軸負方向）に延びている。電源側端子金具３０の構成及び基台２１への組付工程の詳細については後述する。
【００３３】
負荷側端子金具４０は、負荷側配線（不図示）と繋がる座部分を構成する負荷側端子座４１を有する。
【００３４】
負荷側端子座４１は、ハウジング２０の負荷側端子座設置部２１２に設置されている。負荷側端子座４１は、負荷側端子座設置部２１２に設置されることで、ハウジング２０の第２壁部２０２において、ハウジング２０の外部に露出している。図示が省略されているが、負荷側端子座４１に負荷側配線の圧着端子がねじにより固定されることにより、負荷側配線が負荷側端子金具４０と電気的に接続される。負荷側配線は、回路遮断器１０の外部の電路を構成する外部配線の一具体例である。
【００３５】
可動接触子５０は、ハウジング２０の内部に設けられた配線（不図示）を通じて負荷側端子金具４０に電気的に接続されている。可動接触子５０は、ハンドル６０の手動操作に基づいて揺動する。可動接触子５０が揺動することにより、可動接点５１が固定接点３２０に対して接触及び離隔する。可動接点５１が固定接点３２０と接触しているとき、可動接触子５０は、Ｙ軸と略平行な導通位置において保持される。可動接点５１が固定接点３２０から離れているとき、可動接触子５０は、図１に示される遮断位置において保持される。
【００３６】
ハンドル６０は、ハウジング２０の第３壁部２０３から突出するように設けられている。回路遮断器１０では、ユーザがハンドル６０を操作することにより、電源側端子座３１から負荷側端子座４１に至る電路上に設けられた可動接点５１及び固定接点３２０が接触及び離隔する。可動接点５１が固定接点３２０に接触している場合、電源側端子座３１と負荷側端子座４１とが導通された状態となる。
【００３７】
可動接点５１が固定接点３２０から離隔している場合、電源側端子座３１と負荷側端子座４１とが遮断された状態となる。加えて、回路遮断器１０は、電源側端子座３１から負荷側端子座４１に至る電路に過電流が流れた際に、可動接触子５０を揺動させて可動接点５１を固定接点３２０から強制的に離隔させる、いわゆるトリップ動作を行うことにより、電源側端子座３１と負荷側端子座４１との電気的な接続を強制的に遮断する機能を有している。
【００３８】
次に、図２から図５を参照して、電源側端子金具３０の構造及び基台２１への組付について具体的に説明する。図２は、電源側端子金具３０の斜視構造を示す斜視図である。図３は、電源側端子金具３０の側面構造を示す側面図である。図４は、図２とは反対側の角度から見た電源側端子金具３０の斜視構造を示す斜視図である。図５は、基台２１に組み付けられた電源側端子金具３０の断面構造を示す断面図である。
【００３９】
図２及び図４に示されるように、電源側端子金具３０の接続部分３３は二股に分かれている。接続部分３３は、二股に分かれた部分から固定接触子３２に至る２つの枝部３３ａ，３３ｂを有する。
【００４０】
図３から図５に示されるように、電源側端子金具３０における電源側端子座３１と接続部分３３の間であって、枝部３３ａと枝部３３ｂの間には、嵌合部３４が形成されている。嵌合部３４は、基台２１の電源側端子座設置部２１０に設けられた被嵌合部２１５を抱き込むように、電源側端子座３１から基台２１側に向かって略直角に折れ曲がり、更に電源側端子座３１と平行となるように略直角に折れ曲がった形状を有している。
【００４１】
嵌合部３４は、電源側端子金具３０が基台２１に組み付けられる際及び組み付けられた状態において、基台２１の被嵌合部２１５を電源側端子座３１との間で挟み込むことで、電源側端子座３１が基台２１の座保持面２１３から離れないように移動を規制する。なお、電源側端子座３１が基台２１の座保持面２１３から離れないとは、電源側端子座３１が回路遮断器１０の上下方向（Ｚ軸方向）に移動しないことを意味する。電源側端子金具３０の嵌合部３４と基台２１の被嵌合部２１５との嵌合構造は、電源側端子金具３０のＺ軸方向の移動を規制する第１移動規制部分の一具体例である。
【００４２】
図４に示されるように、固定接触子３２のうち基台２１の接触子保持面２１４に当接する当接面３２１には、２つの突起部３５ａ，３５ｂが形成されている。突起部３５ａ，３５ｂは、基台２１側（Ｚ軸負方向側）に向かって突出している。
【００４３】
図５に示されるように、基台２１の接触子保持面２１４には、突起部３５ｂに対応する嵌合孔２１６が形成されている。突起部３５ｂは、嵌合孔２１６に入り込み、突起部３５ｂの周囲に嵌合孔２１６の側壁が当接することにより、固定接触子３２Ａが接触子保持面２１４に対応する位置からずれないように移動を規制する。
【００４４】
なお、固定接触子３２が接触子保持面２１４に対応する位置からずれないとは、電源側端子金具３０の組付位置において、固定接触子３２が回路遮断器１０の水平方向（ＸＹ平面方向）に移動しないことを意味する。突起部３５ｂと嵌合孔２１６との嵌合構造は、固定接触子３２のＸＹ平面方向の移動を規制する第２移動規制部分の一具体例である。図５においては図示が省略されているが、接触子保持面２１４には、嵌合孔２１６と同様に突起部３５ａに対応する嵌合孔も形成されている。
【００４５】
図５に示されるように、固定接触子３２に設けられた固定接点３２０は、固定接触子３２の他の部分に対して固定接触子設置部２１１側に突出している。当該突出した部分は、基台２１の固定接触子設置部２１１に設けられた溝部２１１ａの内部に収容されている。
【００４６】
電源側端子金具３０の基台２１への組み付けは、電源側端子金具３０を基台２１に対して相対的に移動させることにより行われる。具体的には、電源側端子金具３０の電源側端子座３１を基台２１の座保持面２１３に沿わせつつ、電源側端子座３１と嵌合部３４が開口する方向（本実施形態ではＹ軸負方向。以下、「スライド方向」とも呼ぶ。）に電源側端子金具３０をスライド移動させる。
【００４７】
このとき、上述のとおり電源側端子金具３０の嵌合部３４が基台２１の被嵌合部２１５に嵌合するので、電源側端子座３１のＺ軸方向の移動が規制される。他方、当該スライド移動にあたって、電源側端子金具３０の固定接触子３２では、突起部３５ａ，３５ｂが基台２１の接触子保持面２１４と当接することにより、固定接触子３２の少なくとも一部（本実施形態では固定接触子３２の全体）と電源側端子座３１との相対的な位置関係が一時的に変化する。具体的には、接続部分３３が一時的に撓むことにより、固定接触子３２は第２移動規制部分の規制方向（ＸＹ平面方向）と交差する方向（Ｚ軸正方向）に移動する。
【００４８】
電源側端子金具３０のスライド移動が更に進むと、電源側端子金具３０の嵌合部３４のスライド方向と反対側の面が基台２１の被嵌合部２１５に当接することにより、電源側端子座３１のスライド方向の移動が規制される。加えて、接続部分３３の撓みが元に戻ることにより、突起部３５ａ，３５ｂが基台２１の接触子保持面２１４に形成された嵌合孔２１６に入り込み、固定接触子３２が復旧方向に戻る。これにより、上述のとおり固定接触子３２ＡのＸＹ平面方向の移動が規制される。上述の工程により電源側端子金具３０の基台２１への組み付けが完了し、電源側端子金具３０が組付位置に固定される。
【００４９】
上述のとおり、回路遮断器１０では、電源側端子金具３０を基台２１に対して移動させるにあたって、電源側端子金具３０の嵌合部３４と基台２１の被嵌合部２１５との嵌合構造により電源側端子座３１が基台２１の座保持面２１３から離れないように規制される。更に、この移動において、固定接触子３２に形成された突起部３５ａ，３５ｂ及び基台２１に形成された嵌合孔２１６は、固定接触子３２の少なくとも一部と電源側端子座３１との相対的な位置関係を一時的に変化させた後に復旧方向に戻す。このような位置関係の一時的な変化によって、固定接触子３２と固定接触子設置部２１１とが嵌合する状態が形成され、固定接触子３２が接触子保持面２１４に対応する位置からずれないように規制される。電源側端子座３１と固定接触子３２とは接続部分３３で接続されているので、固定接触子３２が接触子保持面２１４に対応する位置からずれないように規制される効果が電源側端子座３１に伝達され、電源側端子座３１も座保持面２１３に対応する位置からずれないように規制される。
【００５０】
電源側端子座３１を座保持面２１３に沿わせて移動させることで、第１移動規制部分と第２移動規制部分とが連動して移動規制を行い、一動作で電源側端子金具３０を組付位置に組み付けることができる。従って、特許文献１に開示されるように消弧グリッド組立体やカバーといった他の部材を用いることなく、電源側端子金具３０を基台２１に固定することができるので、組み立て作業が容易なものとなる。また、例えばねじにより電源側端子金具を基台に固定する構成に比べて、必要部品及び専用工具が削減され、作業時間が短縮される。
【００５１】
回路遮断器１０では、電源側端子金具３０を基台２１に対して移動させるにあたって、固定接触子２３に形成された突起部３５ａ，３５ｂが基台２１の接触子保持面２１４に当接する。この当接に伴って、固定接触子２３の少なくとも一部と電源側端子座３１との相対的な位置関係が一時的に変化する。従って、電源側端子金具３０を組み付けるための動作を行うことで第２移動規制部分を作動させることができ、組付作業が容易なものとなる。
【００５２】
回路遮断器１０では、接続部分３３の撓み動作によって固定接触子３２の少なくとも一部と電源側端子座３１との相対的な位置関係が一時的に変化する。従って、固定接触子３２のみが撓む場合に比べて、撓みのストロークをより大きく確保することが容易なものとなる。
【００５３】
回路遮断器１０では、電源側端子金具３０が基台２１に組み付けられた状態において、電源側端子金具３０の固定接触子３２に形成された突起部３５ａ，３５ｂが基台２１に形成された嵌合孔２１６にはまるので、１つの構造により突起部の周囲に側壁が当接する方向（本実施形態ではＸＹ平面上の任意の方向）の移動を規制することができる。突起部の周囲に側壁が当接する方向は任意に設けることができるため、例えば、複数の方向において当接個所を設けることで、複数の方向における移動を規制することができる。
【００５４】
本実施形態においては、電源側端子金具３０の接続部分３３が第４壁部に向かって略直角に折れ曲がっているが、当該部分は、例えば図１に示されるように遮断位置で保持された可動接触子５０と平行な傾斜面であってもよい。傾斜面であることにより、可動接触子５０が遮断位置で保持されているとき、電源側端子金具３０の接続部分と可動接触子５０とが所定距離をもって離れるため、電源側端子金具３０と可動接触子５０との間に電気的な短絡が生じ難くなる。
【００５５】
本実施形態においては、電源側端子金具３０の接続部分３３が２つに分かれた枝部３３ａ，３３ｂを有する構成が示されているが、当該部分はいずれか一方の枝部を有する構成であってもよい。
【００５６】
本実施形態においては、固定接触子３２に２つの突起部３５ａ，３５ｂが形成され、基台２１に２つの嵌合孔が形成される例が示されているが、これらの突起部及び対応する嵌合孔の数は２つに限定されず、１つであってもよく、３つ以上であってもよい。このことは、後述する他の実施形態における突起部及び嵌合孔、並びに爪部についても同様である。
【００５７】
図６は、電源側端子金具３０の第１変形例である電源側端子金具３０Ａの斜視構造を示す斜視図である。
【００５８】
電源側端子金具３０Ａは、固定接触子３２Ａにおいて、突起部３５ａ，３５ｂの代わりに突起部３６ａが形成されている点において電源側端子金具３０と異なる。突起部３６ａは、接触子保持面２１４との当接面３２１におけるＸ軸負方向側の端部に形成されている。なお、図６においては図示が省略されているが、当接面３２１におけるＸ軸正方向側の端部にも、突起部３６ａと同様の突起部が形成されている。
【００５９】
突起部３６ａは、電源側端子金具３０Ａのスライド方向とは逆の方向（Ｙ軸正方向）側が基台２１側に突出した爪形状を有している。電源側端子金具３０Ａを基台２１に組み付ける際のスライド移動にあたって、突起部３６ａは、固定接触子３２Ａの他の部分に対してＺ軸正方向側に撓んだのち、復旧方向に戻ることにより、基台２１に形成された対応する嵌合孔（不図示）に入り込む。
【００６０】
突起部３６ａの少なくともＹ軸正方向側の面に基台２１の嵌合孔の側壁が当接することにより、固定接触子３２Ａが基台２１の接触子保持面２１４に対応する位置からＹ軸正方向側にずれないように規制される。電源側端子金具３０Ａの突起部３６ａと基台２１の嵌合孔との嵌合構造は、固定接触子３２Ａの基台２１に対するＹ軸正方向側の移動を規制する第２移動規制部分の一具体例である。
【００６１】
電源側端子金具３０Ａでは、突起部３６ａが固定接触子３２Ａの他の部分に対して撓むため、突起部３６ａの嵌合孔への入り込みを容易に行うことができる。突起部３６ａ及び対応する嵌合孔によっては電源側端子金具３０Ａのスライド方向の移動が規制され難いが、電源側端子金具３０Ａの嵌合部３４及び基台の被嵌合部２１５との当接によって当該スライド方向の移動が規制される。この場合、嵌合部３４及び被嵌合部２１５は、固定接触子３２ＡのＸＹ平面方向の移動を規制する第２移動規制部分としても機能する。
【００６２】
図７は、電源側端子金具３０の第２変形例である電源側端子金具３０Ｂの断面構造を示す断面図である。
【００６３】
本変形例では、電源側端子金具３０Ｂの固定接触子３２Ｂに突起部が形成される代わりに、基台２１に２つの爪部３７ａ，３７ｂが形成されている点において電源側端子金具３０及びその構成に対応する基台２１の構成と異なる。爪部３７ａ，３７ｂは、基台２１の接触子保持面２１４の周囲から固定接触子３２Ｂに向かって突出するように設けられている。
【００６４】
固定接触子３２Ｂは、電源側端子金具３０Ｂのスライド方向とは反対側（Ｙ軸正方向側）に、爪部３７ａ，３７ｂと当接する当接面３２２を有する。電源側端子金具３０Ｂが基台２１に組み付けられた状態において、固定接触子３２Ｂの当接面３２２が爪部３７ａ，３７ｂと当接することにより、固定接触子３２Ｂが接触子保持面２１４に対応する位置からＹ軸正方向側にずれないように規制される。固定接触子３２Ｂの当接面３２２と基台２１の爪部３７ａ，３７ｂとの当接構造は、固定接触子３２Ｂの基台２１に対するＹ軸正方向側の移動を規制する第２移動規制部分の一具体例である。第２移動規制部分を爪部３７ａ，３７ｂと当接面３２２によって構成することができるので、簡便な構造で移動規制を行うことができる。
【００６５】
図８は、電源側端子金具３０の第３変形例である電源側端子金具３０Ｃの断面構造を示す断面図である。
【００６６】
電源側端子金具３０Ｃでは、電源側端子座３１と固定接触子３２が接続部分３３Ｃから異なる方向（図８においては、Ｙ軸負方向とＹ軸正方向）に沿って延びている。このように、電源側端子金具の形状は、図１に示される形状に限らず、任意の形状に変更することが可能である。
【００６７】
電源側端子金具３０Ｃでは、電源側端子金具３０，３０Ａ，３０Ｂに比べて電源側端子金具３０Ｃと可動接触子５０との間の距離を広げることができるため、絶縁距離をより十分に確保することができる。図８においては第２移動規制部分の一例として突起部３５ｂ及び嵌合孔２１６が示されているが、第２移動規制部分の構成はこれに限られず、他の様々な実施形態の構成を適用可能である。
【００６８】
図９は、電源側端子金具３０の第４変形例である電源側端子金具３０Ｄの断面構造を示す断面図である。
【００６９】
図９に示されるように、電源側端子金具３０Ｄは、嵌合部３４の代わりに嵌合部３４Ｄを有する。また、基台２１の電源側端子座設置部２１０は、被嵌合部２１５の代わりに被嵌合部２１５Ｄを有する。
【００７０】
電源側端子金具３０Ｄに設けられた嵌合部３４Ｄは、電源側端子座３１の端部側（Ｙ軸負方向側）に形成されている。これに伴って、基台２１に設けられた被嵌合部２１５Ｄは、電源側端子座設置部２１０のうちハウジング２０の第１壁部２０１側（Ｙ軸負方向側）に形成されている。
【００７１】
嵌合部３４Ｄは、被嵌合部２１５Ｄを抱き込むように、電源側端子座３１から基台２１側に向かって略直角に折れ曲がり、更に電源側端子座３１と平行となるように略直角に折れ曲がった形状を有している。嵌合部３４Ｄは、電源側端子金具３０Ｄが基台２１に組み付けられる際及び組み付けられた状態において、基台２１の被嵌合部２１５Ｄを電源側端子座３１との間で挟み込むことで、電源側端子座３１が基台２１の座保持面２１３から離れないように移動を規制する。電源側端子金具３０Ｄの嵌合部３４Ｄと基台２１の被嵌合部２１５Ｄとの嵌合構造は、電源側端子金具３０ＤのＺ軸方向の移動を規制する第１移動規制部分の一具体例である。
【００７２】
電源側端子座３１と嵌合部３４Ｄとの開口方向が、上述の電源側端子座３１と嵌合部３４との開口方向と逆方向であるので、電源側端子金具３０Ｄのスライド方向もまた、上述のスライド方向と逆方向となる。従って、仮に固定接触子３２に上述の突起部３６ａに相当する突起部が形成される場合、当該突起部は、突起部３６ａとは逆の方向（Ｙ軸負方向）側が基台２１側に突出する構成であることが好ましい。あるいは、仮に基台２１に上述の爪部３７ａ，３７ｂに相当する爪部が形成される場合、当該爪部は、爪部３７ａ，３７ｂとは逆の方向（Ｙ軸正方向）に向かって突出し、固定接触子３２Ｂにおける当接面３２２とは逆側の面に当接することが好ましい。これらの構造を適用することにより、スライド方向とは逆方向の移動を規制することができる。
【００７３】
本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【００７４】
例えば、上述の電源側端子金具における第１移動規制部分及び第２移動規制部分の構成は、負荷側端子金具にも適用可能である。
【符号の説明】
【００７５】
１０：回路遮断器
２１：基台
３０，３０Ａ，３０Ｂ，３０Ｃ，３０Ｄ：電源側端子金具（端子金具）
３１：電源側端子座（座部分）
３２，３２Ａ，３２Ｂ：固定接触子（固定接触子部分）
３３，３３Ｃ：接続部分
３４，３４Ｄ：嵌合部（第１移動規制部分、第２移動規制部分）
３５ａ，３５ｂ，３６ａ：突起部（第２移動規制部分）
３７ａ，３７ｂ：爪部（第２移動規制部分）
４０：負荷側端子金具（端子金具）
５０：可動接触子
２１３：座保持面
２１４：接触子保持面
２１５，２１５Ｄ：被嵌合部（第１移動規制部分）
３２１，３２２：当接面（第２移動規制部分）
【図１】
2020068186.tif 000003
【図２】
2020068186.tif 000004
【図３】
2020068186.tif 000005
【図４】
2020068186.tif 000006
【図５】
2020068186.tif 000007
【図６】
2020068186.tif 000008
【図７】
2020068186.tif 000009
【図８】
2020068186.tif 000010
【図９】
2020068186.tif 000011